(57)【要約】【課題】ＦＰＣ基板をＦＰＣコネクタに良好に装着することが可能なＦＰＣ基板コネクタユニットを提供する。【解決手段】ＦＰＣコネクタ１は、端子３とこれを収納するハウジング２とを備えている。ハウジング２は、下板部１１と一対の側壁１２と挿入口１０Ｍ及び挿入空間部１０Ｓと上部開口部１３Ｈとを備えたハウジング本体１０と、ハウジング本体１０に回動自在に取り付けられ、上部開口部１３Ｈを開閉自在な板状のカバー部材２０とを備えている。カバー部材２０には、下板部１１に対して垂直方向に立った状態において下板部１１と対向する側面２０Ｓに、ＦＰＣ基板５の挿入時に一時的にＦＰＣ基板５と係合し、ＦＰＣ基板５の装着完了後にＦＰＣ基板５との係合が外れる少なくとも１つの係合凸部２２が突設されており、ＦＰＣ基板５に、係合凸部２２が入り込む少なくとも１つの係合穴部５１Ｈが形成されている。【選択図】図６
2012109037.tif 000002
【特許請求の範囲】
【請求項１】
ＦＰＣ（Flexible Printed Circuit）基板と、当該ＦＰＣ基板が接続されるＦＰＣコネクタとのＦＰＣ基板コネクタユニットであって、
前記ＦＰＣコネクタは、前記ＦＰＣ基板と導電接続される少なくとも１つの端子と、当該少なくとも１つの端子が収容されたハウジングとを備えたものであり、
前記ハウジングは、
前記ＦＰＣコネクタに装着された前記ＦＰＣ基板と対向する下板部と、当該下板部の前記ＦＰＣ基板の挿入方向に平行な両端部に上方に向けて突設された一対の側壁と、前記ＦＰＣ基板が挿入される挿入口及び挿入空間部と、前記ＦＰＣコネクタに装着された前記ＦＰＣ基板と対向する上部開口部とを備えたハウジング本体と、
前記ハウジング本体の前記一対の側壁に取り付けられ、かつ、当該取付部分を軸として回動自在とされ、前記上部開口部を開閉自在な板状のカバー部材とを備えたものであり、
前記カバー部材には、当該カバー部材が前記下板部に対して垂直方向に立った状態において前記下板部と対向する側面に、前記ＦＰＣ基板の挿入時に一時的に前記ＦＰＣ基板と係合し、前記ＦＰＣ基板の装着完了後に前記ＦＰＣ基板との係合が外れる少なくとも１つの係合凸部が突設されており、
前記ＦＰＣ基板に、前記少なくとも１つの係合凸部が入り込む少なくとも１つの係合穴部が形成されたＦＰＣ基板コネクタユニット。
【請求項２】
前記ハウジング本体は、前記上部開口部を有する上板部を備えており、当該上板部に、前記ＦＰＣ基板の装着完了後に前記少なくとも１つの係合凸部が入り込み、前記カバー部材の閉状態において、装着された前記ＦＰＣ基板の先端部を外部より視認可能とする窓部が設けられた請求項１に記載のＦＰＣ基板コネクタユニット。
【請求項３】
前記ＦＰＣ基板は、前記ＦＰＣコネクタに対して先に挿入される先端側に他の部分より相対的に幅太な幅太部を備えており、
前記ハウジング本体の前記下板部の前記挿入口側に、前記ＦＰＣ基板の前記幅太部が係止される係止壁が突設された請求項１又は２に記載のＦＰＣ基板コネクタユニット。
【請求項４】
前記端子は、前記ＦＰＣ基板の裏面に形成された導電部と導電接触する下アーム部と、前記カバー部材に形成された端子係合部と係合する上アーム部とを備えた請求項１〜３のいずれかに記載のＦＰＣ基板コネクタユニット。
【発明の詳細な説明】
【技術分野】
【０００１】
本発明は、ＦＰＣ（Flexible Printed Circuit）基板とＦＰＣコネクタとのＦＰＣ基板コネクタユニットに関するものである。
【背景技術】
【０００２】
図面を参照して、従来のＦＰＣ基板コネクタユニットの構成、及びＦＰＣ基板のＦＰＣコネクタへの装着方法について、説明する。
図１２は従来のＦＰＣコネクタユニットのＦＰＣ基板の装着前かつＦＰＣコネクタ開状態の斜視図である。
図１３は従来のＦＰＣコネクタユニットのＦＰＣ基板の装着後かつＦＰＣコネクタ開状態の斜視図である。
図１４は従来のＦＰＣコネクタユニットにおけるＦＰＣ基板の装着不良を示す斜視図である。
図１５は従来のＦＰＣコネクタのカバー部材の斜視図である。
図１６は従来のＦＰＣ基板を表面側から見た斜視図である。
図１７は従来のＦＰＣ基板を裏面側から見た斜視図である。
【０００３】
従来のＦＰＣ基板コネクタユニットＵ２は、ＦＰＣ基板１０５とＦＰＣコネクタ１０１とのユニットである。
【０００４】
ＦＰＣコネクタ１０１は、ＦＰＣ基板１０５と導電接続される複数の端子１０３と、複数の端子１０３が収容されたハウジング１０２とを備えている。複数の端子１０３はそれぞれ、下アーム部１３１Ａと上アーム部１３１Ｂとを備えている。
【０００５】
ハウジング１０２は、ハウジング本体１１０とカバー部材１２０とから構成されている。
ハウジング本体１１０は、ＦＰＣコネクタ１０１に装着されたＦＰＣ基板１０５と対向する下板部１１１と、下板部１１１のＦＰＣ基板１０５の挿入方向に平行な両端部に上方に向けて突設された一対の側壁１１２と、ＦＰＣ基板１０５が挿入される挿入口１１０Ｍ及び挿入空間部１１０Ｓと、ＦＰＣコネクタ１０１に装着されたＦＰＣ基板１０５と対向する上部開口部１１３Ｈとを備えた上板部１１３とを備えている。
ハウジング本体１１０のＦＰＣ基板１０５が装着される側と反対側には、実装基板（図示せず）等との導電接続用の少なくとも１つの外部接続端子１４０が設けられている。
【０００６】
カバー部材１２０は、ハウジング本体１１０の一対の側壁１１２に取り付けられており、この取付部分を軸として回動自在とされ、ハウジング本体１１０の上部開口部１１３Ｈを開閉自在な板状の部材である。カバー部材１２０のハウジング本体１１０への取付部分には、回動軸となる一対の突起１２４が設けられている。
【０００７】
ＦＰＣ基板１０５は、ＦＰＣコネクタ１０１に対して先に挿入される先端側に他の部分（主部）１５２より相対的に幅太な幅太部１５１を備えている。
ハウジング本体１１０の下板部１１１の両端部の挿入口１１０Ｍ側に、ＦＰＣ基板１０５の幅太部１５１が係止される一対の係止壁１１４が突設されている。
【０００８】
図１６及び図１７において、ＦＰＣ基板１０５の表面に符号１０５ａ、裏面に符号１０５ｂを付してある。
ＦＰＣ基板１０５の裏面１０５ｂには、ＦＰＣコネクタ１０１の複数の端子１０３が接続される複数の導電部１５１Ｐ（電極パターン）が設けられている。
ＦＰＣコネクタ１０１のカバー部材１２０には、複数の端子１０３が係合する複数の端子係合部１２３が設けられている。
【０００９】
従来のＦＰＣ基板コネクタユニットＵ２は、以上のように構成されている。
以下、図１２〜図１４を参照して、ＦＰＣ基板１０５のＦＰＣコネクタ１０１への装着方法について、説明する。
【００１０】
まず図１２に示すように、カバー部材１２０を開状態としたＦＰＣコネクタ１０１の挿入口１１０ＭからＦＰＣ基板１０５を挿入する。このとき、ＦＰＣコネクタ１０１のＦＰＣ基板１０５の挿入側には、ＦＰＣ基板１０５の幅太部１５１が係止される一対の係止壁１１４が突設されているので、一対の係止壁１１４の上方から下板部１１１とカバー部材１２０との間の挿入空間部１１０Ｓに対して、ＦＰＣ基板１０５を斜めに挿入する。
【００１１】
ＦＰＣ基板１０５の挿入が奥までスムーズに行われると、図１３に示すように、ＦＰＣ基板１０５の幅太部１５１がＦＰＣコネクタ１０１の一対の係止壁１１４に係止される。その後、カバー部材１２０を閉じることで、ＦＰＣ基板１０５の装着が完了する。
しかしながら、ＦＰＣ基板１０５の上記斜め挿入においては、図１４に示すように、一対の係止壁１１４が邪魔となって、ＦＰＣ基板１０５の挿入が奥までスムーズに行かず、一対の係止壁１１４上にＦＰＣ基板１０５が乗り上がり、それ以上奥に挿入できなくなる場合がある。かかる状態では、ＦＰＣ基板１０５とＦＰＣコネクタ１０１との導電接続ができず、カバー部材１２０も良好に閉まらない。
【００１２】
以下の公知文献の説明では、部材の用語を適宜本願発明で使用している用語に統一してある。
特許文献１には、複数の端子（５）がハウジング（３）の下板部（３２）に配列され、ハウジング（３）に、下板部（３２）の両側に設けられた一対の案内片（４Ａ、４Ｂ）と天板部（４Ｃ）とを有するカバー部材（４）が回転結合されたＦＰＣコネクタ（１）が開示されている（請求項１、図１）。
特許文献１のＦＰＣコネクタ（１）において、カバー部材（４）の一対の案内片（４Ａ、４Ｂ）の内壁間の間隔はＦＰＣ基板（２）の幅より僅かに大きく、ＦＰＣ基板（２）をハウジング（３）に挿入する過程では、ＦＰＣ基板（２）は一対の案内片（４Ａ、４Ｂ）の内壁に規制されてＦＰＣ基板（２）と端子（５）とが位置合わせされるようになっている。
特許文献１では、ＦＰＣ基板（２）の先端部に幅太部がなく、ＦＰＣコネクタ（１）の手前にＦＰＣ基板（２）を係止する係止壁がない。
【００１３】
特許文献１には、「カバー部材（４）を閉じる過程では、カバー部材（４）における回転軸側の終縁（Ｅ）がＦＰＣ基板（２）に当接して、端子（５）側に送り出すように作用し、ＦＰＣ基板（２）が容易に挿入される。」ことが記載されている（段落００３５）。
【００１４】
特許文献２には、ＦＰＣ基板（２）の導電部（２Ａ）と接触する端子が収容されたコネクタ（１）のハウジング（３）に係合部材（４）を取り付け、この係合部材は、ＦＰＣにあけられた孔部（２Ｂ）に係合する突起部（４Ｂ）を備えたプレート部（４Ａ）と、このプレート部の両端から延びハウジングの両側に回動可能に取り付けられた一対のアーム部（４Ｃ）とを備え、係合部材を開いた状態でプレート部とハウジング上面（３Ａ）とが接触ないしは近接してハウジングに設けられたストッパ（６）でこの係合部材の閉じる方向への回動を阻止し、係合部材のプレート部をハウジングのＦＰＣの挿入口（３Ｃ）を塞ぐ方向すなわち閉じる方向へ回動させてストッパを乗り越えさせ、プレート部の突起部をＦＰＣの孔部に係合したコネクタの接続構造が開示されている（請求項１、図１、及び図４）
特許文献２では、ＦＰＣ基板（２）の先端部に幅太部がなく、ＦＰＣコネクタ（１）の手前にＦＰＣ基板（２）を係止する係止壁がない。
【００１５】
特許文献３には、複数の端子（４）を有するハウジング（２）とＦＰＣ基板（１）を装填抜去するためのスライダ（３）とを備え、スライダ（３）に端子（４）の接点（４ａ）が収容される接点収納壁（３ｂ）と、ＦＰＣ基板（１）が装着された際に接点収納壁（３ｂ）から接点（４ａ）を突出させてＦＰＣ基板（１）に当接させるための開口部（３ａ）とが設けられたＦＰＣコネクタが開示されている（請求項２、図１、及び図２）。
特許文献３ではＦＰＣ基板（１）に幅太部（１ａ）が設けられている（図３）が、ＦＰＣコネクタの手前にＦＰＣ基板（１）の幅太部（１ａ）を係止する係止壁がない。特許文献３ではまた、回動自在なカバー部材は設けられておらず、その代わりに、ＦＰＣ基板（１）の挿入方向にスライド可能なスライダ（３）が設けられている。
【先行技術文献】
【特許文献】
【００１６】
【特許文献１】特開2004-193080号公報
【特許文献２】特開2006-147294号公報
【特許文献３】特開平10-255926号公報
【発明の概要】
【発明が解決しようとする課題】
【００１７】
ＦＰＣコネクタの手前にＦＰＣ基板を係止する係止壁がない特許文献１−２、及び、ＦＰＣコネクタの手前にＦＰＣ基板を係止する係止壁がなく、回動自在なカバー部材の代わりにＦＰＣ基板の挿入方向にスライド可能なスライダが設けられた特許文献３では、ＦＰＣ基板を斜めに挿入する必要がなく、ＦＰＣ基板をハウジングの下板部に対して平行に挿入することができる。したがって、ＦＰＣ基板がＦＰＣコネクタの係止壁に乗り上げて、導電接続不良及びカバー部材の閉不良が生じる上記問題は生じない。
しかしながら、特許文献１〜３では、ＦＰＣコネクタの手前にＦＰＣ基板を係止する係止壁がないので、ＦＰＣ基板がＦＰＣコネクタに良好に係止されず、ＦＰＣコネクタに挿入されたＦＰＣ基板が外れやすい。
【００１８】
本発明は上記事情に鑑みてなされたものであり、ＦＰＣコネクタの挿入口側に、ＦＰＣ基板が係止される係止壁が突設された構造においても、ＦＰＣ基板をＦＰＣコネクタに良好に装着することが可能なＦＰＣ基板コネクタユニットを提供することを目的とするものである。
本発明は、ＦＰＣコネクタの挿入口側に、ＦＰＣ基板が係止される係止壁が突設された構造に有効であるが、任意の構造のＦＰＣ基板コネクタユニットに適用可能である。
【課題を解決するための手段】
【００１９】
本発明のＦＰＣ基板コネクタユニットは、
ＦＰＣ（Flexible Printed Circuit）基板と、当該ＦＰＣ基板が接続されるＦＰＣコネクタとのＦＰＣ基板コネクタユニットであって、
前記ＦＰＣコネクタは、前記ＦＰＣ基板と導電接続される少なくとも１つの端子と、当該少なくとも１つの端子が収容されたハウジングとを備えたものであり、
前記ハウジングは、
前記ＦＰＣコネクタに装着された前記ＦＰＣ基板と対向する下板部と、当該下板部の前記ＦＰＣ基板の挿入方向に平行な両端部に上方に向けて突設された一対の側壁と、前記ＦＰＣ基板が挿入される挿入口及び挿入空間部と、前記ＦＰＣコネクタに装着された前記ＦＰＣ基板と対向する上部開口部とを備えたハウジング本体と、
前記ハウジング本体の前記一対の側壁に取り付けられ、かつ、当該取付部分を軸として回動自在とされ、前記上部開口部を開閉自在な板状のカバー部材とを備えたものであり、
前記カバー部材には、当該カバー部材が前記下板部に対して垂直方向に立った状態において前記下板部と対向する側面に、前記ＦＰＣ基板の挿入時に一時的に前記ＦＰＣ基板と係合し、前記ＦＰＣ基板の装着完了後に前記ＦＰＣ基板との係合が外れる少なくとも１つの係合凸部が突設されており、
前記ＦＰＣ基板に、前記少なくとも１つの係合凸部が入り込む少なくとも１つの係合穴部が形成されたものである。
【発明の効果】
【００２０】
本発明によれば、ＦＰＣコネクタの挿入口側に、ＦＰＣ基板が係止される係止壁が突設された構造においても、ＦＰＣ基板をＦＰＣコネクタに良好に装着することが可能なＦＰＣ基板コネクタユニットを提供することができる。
本発明は、ＦＰＣコネクタの挿入口側に、ＦＰＣ基板が係止される係止壁が突設された構造に有効であるが、任意の構造のＦＰＣ基板コネクタユニットに適用可能である。
【図面の簡単な説明】
【００２１】
【図１】一実施形態のＦＰＣコネクタの開状態の斜視図である。
【図２】一実施形態のＦＰＣコネクタのカバー部材の斜視図である。
【図３】一実施形態のＦＰＣコネクタのハウジング本体の斜視図である。
【図４】一実施形態のＦＰＣ基板を表面側から見た斜視図である。
【図５】一実施形態のＦＰＣ基板を裏面側から見た斜視図である。
【図６】ＦＰＣ基板のＦＰＣコネクタへの装着方法を示す工程図である。
【図７】ＦＰＣ基板のＦＰＣコネクタへの装着方法を示す工程図である。
【図８】ＦＰＣ基板のＦＰＣコネクタへの装着方法を示す工程図である。
【図９】ＦＰＣ基板のＦＰＣコネクタへの装着方法を示す工程図である。
【図１０】ＦＰＣ基板のＦＰＣコネクタへの装着方法を示す工程図である。
【図１１】図１０のＡ−Ａ'断面図である。
【図１２】従来のＦＰＣコネクタユニットのＦＰＣ基板の装着前かつＦＰＣコネクタ開状態の斜視図である。
【図１３】従来のＦＰＣコネクタユニットのＦＰＣ基板の装着後かつＦＰＣコネクタ開状態の斜視図である。
【図１４】従来のＦＰＣコネクタユニットにおけるＦＰＣ基板の装着不良を示す斜視図である。
【図１５】従来のＦＰＣコネクタのカバー部材の斜視図である。
【図１６】従来のＦＰＣ基板を表面側から見た斜視図である。
【図１７】従来のＦＰＣ基板を裏面側から見た斜視図である。
【発明を実施するための形態】
【００２２】
図面を参照して、本発明に係る一実施形態のＦＰＣ（Flexible Printed Circuit）基板コネクタユニットの構成、及びＦＰＣ基板のＦＰＣコネクタへの装着方法について、説明する。
図１は本実施形態のＦＰＣコネクタの開状態の斜視図である。
図２は本実施形態のＦＰＣコネクタのカバー部材の斜視図である。
図３は本実施形態のＦＰＣコネクタのハウジング本体の斜視図である。
図４は本実施形態のＦＰＣ基板を表面側から見た斜視図である。
図５は本実施形態のＦＰＣ基板を裏面側から見た斜視図である。
図６〜図１０はＦＰＣ基板のＦＰＣコネクタへの装着方法を示す工程図である。
図１１は図１０のＡ−Ａ'断面図（ハッチング省略）である。
視認しやすくするため、図面上は各構成要素の図示を実際のものとは適宜異ならせて、簡略化してある。
【００２３】
図６及び図１０に示すように、本実施形態のＦＰＣ基板コネクタユニットＵ１は、ＦＰＣ基板５とＦＰＣコネクタ１とのユニットである。図６はＦＰＣ基板５の装着前の状態、図１０はＦＰＣ基板５の装着後の状態を示している。
【００２４】
図１に示すように、ＦＰＣコネクタ１は、ＦＰＣ基板５と導電接続される少なくとも１つの端子３と、少なくとも１つの端子３が収容されたハウジング２とを備えている。
本実施形態では、ＦＰＣコネクタ１に複数の端子３が設けられている。
複数の端子３はそれぞれ、後記するＦＰＣ基板５の裏面５ｂに設けられた導電部５１Ｐ（図５を参照）と導電接触する下アーム部３１Ａと、後記するカバー部材２０に形成された端子係合部２３（図１５を参照）と係合する上アーム部３１Ｂとを備えた断面視略J字状の部材である。
複数の端子３は弾性材料からなり、ハウジング２に圧入されている。
【００２５】
ハウジング２は、ハウジング本体１０とカバー部材２０とから構成されている。
ハウジング本体１０は、ＦＰＣコネクタ１に装着されたＦＰＣ基板５と対向する下板部１１と、下板部１１のＦＰＣ基板５の挿入方向に平行な両端部に上方に向けて突設された一対の側壁１２と、ＦＰＣ基板５が挿入される挿入口１０Ｍ及び挿入空間部１０Ｓと、ＦＰＣコネクタ１に装着されたＦＰＣ基板５と対向する上部開口部１３Ｈとを備えた上板部１３とを備えている。
ハウジング本体１０のＦＰＣ基板５が装着される側と反対側には、実装基板（図示せず）等との導電接続用の少なくとも１つの外部接続端子４０が設けられている。外部接続端子４０の数及び形状等は適宜設計変更可能である。
本実施形態において、外部接続端子４０は、半田付け等により外部と導電接続される端子である。
【００２６】
カバー部材２０は、ハウジング本体１０の一対の側壁１２に取り付けられており、この取付部分を軸として回動自在とされ、ハウジング本体１０の上部開口部１３Ｈを開閉自在な板状の部材である。
図２に示すように、カバー部材２０のハウジング本体１０への取付部分には、回動軸となる一対の突起２４が設けられている。
図３に示すように、ハウジング本体１０の一対の側壁１２には、カバー部材２０の一対の突起２４を受ける一対の軸受け穴１２Ｈが設けられている。
【００２７】
図２に示すように、カバー部材２０には、カバー部材２０がハウジング本体１０の下板部１１に対して垂直方向に立った状態において下板部１１と対向する側面２０Ｓに、ＦＰＣ基板５の挿入時に一時的にＦＰＣ基板５と係合し、ＦＰＣ基板５の装着完了後にＦＰＣ基板５との係合が外れる少なくとも１つの係合凸部２２が突設されている。本実施形態では、カバー部材２０の両端部に一対の係合凸部２２が設けられている。係合凸部２２の数は少なくとも１つであればよく、その位置も適宜設計できる。
図示する例では、係合凸部２２は円柱状であるが、その形状は任意である。
【００２８】
図３に示すように、ハウジング本体１０には、上板部１３に、ＦＰＣ基板５の装着完了後に上記の一対の係合凸部２２が入り込む一対の窓部１３Ｗが設けられている。
一対の窓部１３Ｗは一対の係合凸部２２より多少大きく設計されており、カバー部材２０の閉状態において、装着されたＦＰＣ基板５の先端部を外部より視認可能とする。
【００２９】
図４に示すように、ＦＰＣ基板５は、ＦＰＣコネクタ１に対して先に挿入される先端側に他の部分（主部）５２より相対的に幅太な幅太部５１を備えている。
本実施形態において、幅太部５１は、主部５２より横方向に突出した一対の突出部５１Ａが形成された部分である。
一対の突出部５１Ａには、ＦＰＣコネクタ１のカバー部材２０に設けられた一対の係合凸部２２が入り込む一対の係合穴部５１Ｈが開口されている。係合穴部５１Ｈの数及び位置は、係合凸部２２の数及び位置に合わせて、設計される。
図示する例では、係合穴部５１Ｈの形状は、ＦＰＣ基板５のＦＰＣコネクタ１への挿入方向に対して延びた矩形状であるが、その形状は任意である。
図１に示すように、ハウジング本体１０の下板部１１の両端部の挿入口１０Ｍ側に、ＦＰＣ基板５の幅太部５１が係止される一対の係止壁１４が突設されている。
【００３０】
図４及び図５において、ＦＰＣ基板１０５の表面に符号５ａ、裏面に符号５ｂを付してある。
ＦＰＣ基板５の裏面５ｂには、ＦＰＣコネクタ１の複数の端子３が接続される複数の導電部５１Ｐ（電極パターン）が設けられている。導電部５１Ｐの数及び位置は端子３の数及び位置に対応している。
図２に示すように、ＦＰＣコネクタ１のカバー部材２０には、複数の端子３が係合する複数の端子係合部２３が設けられている。端子係合部２３は端子３の上アーム部３１Ｂが引っ掛かる柱状の回動可能部材である。
【００３１】
本実施形態のＦＰＣ基板コネクタユニットＵ１は、以上のように構成されている。
以下、図６〜図１０を参照して、ＦＰＣ基板５のＦＰＣコネクタ１への装着方法について、説明する。
【００３２】
まず図６に示すように、カバー部材２０を開状態としたＦＰＣコネクタ１の挿入口１０ＭからＦＰＣ基板５を挿入する。このとき、ＦＰＣコネクタ１のＦＰＣ基板５の挿入側には、ＦＰＣ基板５の幅太部５１が係止される一対の係止壁１４が突設されているので、一対の係止壁１４の上方から下板部１１とカバー部材２０との間の挿入空間部１０Ｓに対して、ＦＰＣ基板５を斜めに挿入する。
【００３３】
ＦＰＣ基板５の挿入が奥までスムーズに行われると、図７に示すように、ＦＰＣ基板５の幅太部５１がＦＰＣコネクタ１の一対の係止壁１４に係止される。その後、図１０に示すように、カバー部材２０を閉じることで、ＦＰＣ基板５の装着が完了する。
【００３４】
ＦＰＣ基板５の上記斜め挿入においては、図８に示すように、一対の係止壁１４が邪魔となって、ＦＰＣ基板５の挿入が奥までスムーズに行かず、一対の係止壁１４上にＦＰＣ基板５が乗り上がり、それ以上奥に挿入できなくなる場合がある。
【００３５】
ＦＰＣ基板５の挿入が奥までスムーズに行われた場合も、一対の係止壁１４上にＦＰＣ基板５が乗り上がってしまった場合も、ハウジング２のカバー部材２０を閉じる操作を実施する。
一対の係止壁１４上にＦＰＣ基板５が乗り上がってしまった状態で、ハウジング２のカバー部材２０を閉じる操作を実施すると、図９に示すように、ＦＰＣコネクタ１のカバー部材２０に設けられた一対の係合凸部２２がＦＰＣ基板５に設けられた一対の係合穴部５１Ｈに入り、カバー部材２０の閉動に合わせて、ＦＰＣ基板５がＦＰＣコネクタ１の奥に向けて引っ張られる。その結果、図１０に示すように、カバー部材２０が閉状態となった時点には、ＦＰＣ基板５がＦＰＣコネクタ１に正規の位置に良好に装着された状態となる。
この状態では、図１１に示すように、ＦＰＣ基板５の複数の導電部５１ＰとＦＰＣコネクタ１の複数の端子３の下アーム部３１Ａとが良好に圧接触した状態となる。
【００３６】
図１０に示すように、ＦＰＣ基板５の装着完了後、ＦＰＣコネクタ１の一対の係合凸部２２は、ハウジング２の上板部１３に設けられた一対の窓部１３Ｗに入り込む。
本実施形態では、一対の窓部１３Ｗは一対の係合凸部２２よりも多少大きく設計されているので、一対の窓部１３Ｗを通して、装着されたＦＰＣ基板５の先端部を外部より視認することができ、ＦＰＣ基板５の装着状態を外部から確認することが可能である。
【００３７】
以上説明したように、本実施形態では、カバー部材２０に、ＦＰＣ基板５の挿入時に一時的にＦＰＣ基板５と係合し、ＦＰＣ基板５の装着完了後にＦＰＣ基板５との係合が外れる複数の係合凸部２２を突設し、ＦＰＣ基板５に、複数のＦＰＣ係合凸部２２が入り込む複数の係合穴部５１Ｈを設ける構成としている。
かかる構成とすることで、仮に図８に示したように、ＦＰＣ基板５の挿入時にハウジング２の一対の係止壁１４上にＦＰＣ基板５が乗り上がってしまった場合も、ハウジング２のカバー部材２０を閉じる操作を実施することで、ＦＰＣ基板５の挿入を続行し、良好な位置に装着することが可能である。
本実施形態によれば、ＦＰＣコネクタ１の挿入口１０Ｍ側に、ＦＰＣ基板５の幅太部５１が係止される係止壁１４が突設された構造においても、ＦＰＣ基板５をＦＰＣコネクタ１に良好に装着することが可能なＦＰＣ基板コネクタユニットＵ１を提供することができる。
【００３８】
本実施形態は、ＦＰＣコネクタの挿入口側に、ＦＰＣ基板が係止される係止壁が突設された構造に有効であるが、任意の構造のＦＰＣ基板コネクタユニットに適用可能である。
【００３９】
（設計変更）
本発明は上記実施形態に限らず、本発明の趣旨を逸脱しない範囲内において適宜設計変更が可能である。
【産業上の利用可能性】
【００４０】
本発明は、携帯電話、デジタルカメラ、及びパーソナルコンピュ−タ等の電子機器に用いられるＦＰＣ基板コネクタユニットに適用可能である。
【符号の説明】
【００４１】
Ｕ１  基板コネクタユニット
１  ＦＰＣコネクタ
２  ハウジング
３  端子
５  ＦＰＣ基板
５ａ  ＦＰＣ基板の表面
５ｂ  ＦＰＣ基板の裏面
１０  ハウジング本体
１０Ｍ  挿入口
１０Ｓ  挿入空間部
１１  下板部
１２  側壁
１２Ｈ  軸受け穴
１３  上板部
１３Ｈ  上部開口部
１３Ｗ  窓部
１４  係止壁
２０  カバー部材
２０Ｓ  側面
２２  係合凸部
２３  端子係合部
２４  突起
３１Ａ  下アーム部
３１Ｂ  上アーム部
４０  外部接続端子
５１  幅太部
５１Ａ  突出部
５１Ｈ  係合穴部
５１Ｐ  導電部
５２  主部
【図１】
2012109037.tif 000003
【図２】
2012109037.tif 000004
【図３】
2012109037.tif 000005
【図４】
2012109037.tif 000006
【図５】
2012109037.tif 000007
【図６】
2012109037.tif 000008
【図７】
2012109037.tif 000009
【図８】
2012109037.tif 000010
【図９】
2012109037.tif 000011
【図１０】
2012109037.tif 000012
【図１１】
2012109037.tif 000013
【図１２】
2012109037.tif 000014
【図１３】
2012109037.tif 000015
【図１４】
2012109037.tif 000016
【図１５】
2012109037.tif 000017
【図１６】
2012109037.tif 000018
【図１７】
2012109037.tif 000019